(57)【要約】【課題】簡単にユーザ自身で証明写真を更新でき、証明写真の更新によるＩＤカードの廃棄をなくし、複数枚のＩＤカードを保有する必要がないマルチカードを提供する。【解決手段】内蔵メモリ３２には、社員証用，運転免許証用の証明写真の画像データ，ＩＤ情報及びＩＤカード暗証番号が記憶されている。証明写真は大液晶パネル１４に表示され、ＩＤ情報は小液晶パネル１５に表示される。社員証と運転免許証との切り換えは、操作部３１の操作で行われる。メニュー選択画面からＩＤ情報の書換えを選択してから社員証のＩＤカード暗証番号を入力すると、これが内蔵メモリ３２に内蔵されているＩＤカード暗証番号と照合され、正しい場合には、大液晶パネル１４に社員証のＩＤ情報の書換えが許容される。この後、当該会社の専用装置により外部入出力端子２５を介してＩＤ情報の書換えが行われる。【選択図】        図２
2005284677.tif 000002
【特許請求の範囲】
【請求項１】
カード状をした本体部と、
この本体部に内蔵され、証明写真の画像データと、これに関連するＩＤ情報と、前記画像データ及びＩＤ情報を所定のＩＤカード発行機関が承認したことを示すＩＤ認証情報とを１セットとして、複数セット記憶するメモリと、
前記本体部に設けられ、前記画像データ及び／又はＩＤ情報をメモリから読み出して画面に表示する表示パネルとからなることを特徴とするマルチカード。
【請求項２】
前記画像データ及びＩＤ情報は、前記ＩＤ認証情報の照合がなされた場合のみに、変更が許容されることを特徴とする請求項１記載のマルチカード。
【請求項３】
前記ＩＤ認証情報は、前記画像データ及び／又はＩＤ情報の更新を許容するか否かの判定に用いられるＩＤカード暗証番号であることを特徴とする請求項１または２記載のマルチカード。
【発明の詳細な説明】
【技術分野】
【０００１】
本発明は、学生証，社員証，運転免許証等の顔写真付きのマルチカードに関する。
【背景技術】
【０００２】
顔写真付きのＩＤカードとしては、学生証，社員証，運転免許証等が知られている。このようなＩＤカードを作成するには、ユーザを撮影するデジタルカメラにユーザのＩＤ情報を入力しておき、撮影画像と一緒にメモリカードに記憶する。そして、このメモリカードをＩＤカード作成装置に装着することにより、ＩＤカード作成装置が画像とこれに関連するＩＤ情報とを合成してカードに印刷する（特許文献１）。
【０００３】
また、属性情報の変更に際しても再発行することなく更新可能な名札カードとして使用できるＩＤカードが知られている（特許文献２）。このＩＤカードの表面には、電子ペーパー等を用いたリライト表示部が設けてあり、これに顔写真と経歴等の属性情報とが表示される。また、ＩＤカードにはＩＣチップが埋め込まれており、これに顔写真の画像データと属性情報とが記憶されている。例えば、ユーザの属性情報が変わったら、ＩＣチップに記憶されている属性情報を書き換えることにより、ＩＤカードのリライト表示部に表示されている属性情報が変更される。
【０００４】
また、ＩＣカードの種別によって作成業務選択の制限を行うことにより、セキュリティ性を確保するＩＤカード作成システムが知られている（特許文献３）。このシステムでは、撮影機で撮影された申請者の顔写真と個人データ，ＩＤ番号とをカードに印刷してＩＤカードを作成する。この際に、客先用，保守用，工程用の各ＩＣカードを印刷機に挿入しておくことにより、作成可能なＩＤカードを制限する。
【０００５】
【特許文献１】特開２０００−２８０６６２号公報
【特許文献２】特開２００１−３１２７１０号公報
【特許文献３】特開平１０−２８３４３７号公報
【発明の開示】
【発明が解決しようとする課題】
【０００６】
上記特許文献１〜３記載のＩＤカードでは、ＩＤカードの発行時や更新時にユーザが態々写真撮影設備のあるＩＤカード発行場所等に出向いて撮影してもらう必要があり、面倒である。なお、上記特許文献１には、ＩＤカードの作成者の顔写真を撮影するデジタルカメラが記載されており、これが個人所有のデジタルカメラであるかのように記載されているが、ＩＤカードの作成者を特定するための特定情報としてのＩＤ番号をキー入力するテンキーを備えている必要があるため、一般的なデジタルカメラでないことは明らかである。
【０００７】
また、ＩＤカード発行機関には、撮影機器やカードに写真を印刷する印刷機器等の設備が必要であるとともに、これらを操作する人員も必要になるなど多大な経費がかかる。また、ＩＤカード発行機関毎にＩＤカードは異なるから、一人で複数枚のＩＤカードを保有することになり、面倒である。
【０００８】
また、上記特許文献１，３では、参照ＩＤカードの有効期限が切れた場合には、その旧いＩＤカードは廃棄することになり、資源の有効活用の観点から問題である。また、有効期限内であっても、証明写真が古くなって写真の容姿が実際の容姿と合わなくなる場合もある。このような場合には、写真の撮り直しに伴ってＩＤカード自体を作り直すことになり、やはり資源の有効活用の観点から問題である。
【０００９】
本発明は上記事情に鑑みてなされたものであり、適宜、簡単にユーザ自身で証明写真を更新できるとともに、証明写真の更新によるＩＤカードの廃棄をなくし、また複数枚のＩＤカードを保有する必要がないマルチカードを提供することを目的とする。
【課題を解決するための手段】
【００１０】
上記課題を解決するために、本発明のマルチカードは、カード状をした本体部と、この本体部に内蔵され、証明写真の画像データと、これに関連するＩＤ情報と、前記画像データ及びＩＤ情報を所定のＩＤカード発行機関が承認したことを示すＩＤ認証情報とを１セットとして、複数セット記憶するメモリと、前記本体部に設けられ、前記画像データ及び／又はＩＤ情報をメモリから読み出して画面に表示する表示パネルとからなることを特徴とする。
【００１１】
また、前記画像データ及びＩＤ情報は、前記ＩＤ認証情報の照合がなされた場合のみに、変更が許容されることを特徴とする。また、前記ＩＤ認証情報は、前記画像データ及び／又ＩＤ情報の更新を許容するか否かの判定に用いられるＩＤカード暗証番号であることを特徴とする。
【発明の効果】
【００１２】
本発明のマルチカードによれば、カード状をした本体部に内蔵したメモリに、画像データ，ＩＤ情報及びＩＤ認証情報を１セットとして複数セット記憶しておき、表示パネルの画面に画像データやＩＤ情報を表示するので、複数枚のＩＤカードを保有する必要がなくなる。
【００１３】
また、前記画像データ及びＩＤ情報は、前記ＩＤ認証情報の照合がなされた場合のみに変更が許容されるから、適宜、簡単にユーザ自身で証明写真を更新できるとともに、証明写真の更新によるＩＤカードの廃棄をなくすことができる。また、前記ＩＤ認証情報をＩＤカード暗証番号とすることにより、ＩＤカード暗証番号を正しく入力できるか否かによって画像データ及び／又はＩＤ情報の更新を許容するか否かの判定を行うことができる。
【発明を実施するための最良の形態】
【００１４】
本発明のマルチカードを示す図１において、マルチカード１０はカード状をした本体部１１を有している。この本体部１１の前面には、大小２つの液晶パネル１４，１５と、表示ボタン１７，メニューボタン１８，送りボタン１９，戻しボタン２０及びテンキー２１が設けられている。また、左側面には、電源用のバッテリを収納するバッテリ室の蓋２４と、デジタルカメラと接続して画像データの入出力等を行う外部入出力端子２５とが設けられている。なお、太陽電池を用いて電源用バッテリを省略してもよい。
【００１５】
前記大液晶パネル１４には、顔写真等の証明写真が表示される。また、前記小液晶パネル１５には、前記証明写真の人物に関するＩＤ情報が表示される。このＩＤ情報としては、前記証明写真の人物に関する略歴、所属している学校名や校章又は会社名や社章，ＣＩ（corporate identity）マーク等がある。
【００１６】
マルチカード１０の電気的な構成を示す図２において、マイクロコンピュータ３０が、前記表示ボタン１７，メニューボタン１８，送りボタン１９，戻しボタン２０及びテンキー２１からなる操作部３１の操作に応答してマルチカード１０全体の制御を行う。
【００１７】
内蔵メモリ３２には、前記証明写真の画像データ及び前記ＩＤ情報と、これらが所定のＩＤカード発行機関によって承認されたことを示すＩＤ認証情報としてのＩＤカード暗証番号とが１セットとして、複数セットが記憶されている。すなわち、ＩＤカード暗証番号は、各ＩＤカード発行機関毎に決められており、ＩＤカード暗証番号の照合が行われると、該当するＩＤカード発行機関に割り当てられたＩＤ情報とこれに係る証明写真のみの更新が可能になる。また、内蔵メモリ３２には、所有者を特定するパスワードを記憶してあり、これをテンキー２１で入力しないと、マルチカード１０自体を使用することができない。なお、ＩＤカード暗証番号及びパスワードは、液晶パネル１４，１５のいずれにも表示されない。
【００１８】
前記画像データは、デジタル信号処理装置（ＤＳＰ）３３によって圧縮，伸長，暗号化，復号化等の処理が施される。伸長された画像データは、ＬＣＤドライバ３４によって大液晶パネル１４に表示される。また、前記ＩＤ情報はＬＣＤドライバ３５よって小液晶パネル１５に表示される。
【００１９】
また、電源用のバッテリ３７は、前記バッテリ室の内部に設けられたバッテリソケット３８に装着される。このバッテリソケット３８には電源ユニット３９が接続され、バッテリ３７からの電圧電流が電源ユニット３９によって増幅され、マイクロコンピュータ３０をはじめ各部に送られる。
【００２０】
なお、バッテリ３７をバッテリソケット３８に装着した時から微弱な待機電流がマルチカード１０内の各部に常時流れており、テンキー２１等の操作によってマルチカード１０の電源がオンになる。また、操作部３１のいずれも操作せずに、例えば、３０秒以上経過すると、マルチカード１０の電源がオフになる。また、前記外部入出力端子２５は、インターフェース（Ｉ／Ｆ）４１を介してマイクロコンピュータ３０に接続され、画像データの入出力やＩＤ情報の更新などに使用される。
【００２１】
このように構成されたマルチカード１０を社員証と運転免許証とに使用する場合について説明する。なお、社員証のＩＤカード発行機関は、ユーザの勤め先の会社であり、運転免許証のＩＤカード発行機関は、管轄区域の公安委員会（例えば東京都公安委員会）である。まず、テンキー２１を用いてパスワードを入力する。テンキー２１の操作に伴ってマルチカード１０の電源がオンになる。
【００２２】
マイクロコンピュータ３０は、内蔵メモリ３２に予め記憶されているパスワードと照合して合致している場合にのみ、表示ボタン１７の押圧による液晶パネル１４，１５の画面表示を許容する。もし、テンキー２１で入力されたパスワードが異なっている場合には、いくら表示ボタン１７を押しても液晶パネル１４，１５には何も表示されない。
【００２３】
正しいパスワードを入力してから表示ボタン１７を押すと、大液晶パネル１４には、マルチカード１０の所有者の証明写真が表示され、小液晶パネル１５には、マルチカード１０を社員証として使用する場合には、カード所有者が社員であることを示す氏名，社名，社員番号，社章（マーク）等のＩＤ情報が表示される。また、マルチカード１０を運転免許証として使用する場合には、住所，氏名，交付日，有効期限，免許証番号等のＩＤ情報が小液晶パネル１５に表示される。
【００２４】
前記社員証と運転免許証との切り換えは、送りボタン１９又は戻しボタン２０を押すことにより行われる。また、証明写真とＩＤ情報とは関連付けがされており、内蔵メモリ３２に記憶されている。証明写真は、社員証用と運転免許証用とで違っていてもよく、また同じであってもよい。社員証用と運転免許証用とで証明写真が違っている例としては、撮影時期の相違によるものの他、運転免許証では眼鏡使用のため当然に眼鏡をかけた顔であるが、社員証では眼鏡を外した顔であるというような場合である。
【００２５】
また、メニューボタン１８を押すと、大液晶パネル１４にメニュー選択画面が表示され、各種設定や編集等を行うことができる。例えば、社員証のＩＤ情報の書換えを行う際には、まず更新したい社員証の証明写真をマルチカード１０の大液晶パネル１４に表示すると、これに関連するＩＤ情報が小液晶パネル１５に表示される。次いで、メニューボタン１８を押し、大液晶パネル１４にメニュー選択画面を表示させ、「ＩＤ情報の書換え」を選択してから、テンキー２１を用いて社員証のＩＤカード暗証番号を入力する。
【００２６】
前記ＩＤカード暗証番号が内臓メモリ３２に記憶されているＩＤカード暗証番号と照合され、合致している場合には、大液晶パネル１４に社員証のＩＤ情報の書換えを許容することを示すメッセージ，例えば「変更可能です」が表示される。この後、当該会社の専用装置により外部入出力端子２５を介してＩＤ情報の書換えが行われる。このＩＤ情報の書換えは、ユーザ自身が行ってから会社の承認を得るか、会社の担当オペレータが行う。
【００２７】
このように、本発明のマルチカードによれば、ユーザが複数のＩＤカードを保有する必要がなくなり、かつ再利用が可能になる。
【００２８】
次に、マルチカード１０の証明写真をユーザ自身で変更する場合について説明する。図３に示すように、前記外部入出力端子２５に接続ケーブル４５の一方のコネクタ４５ａを接続し、他方のコネクタ４５ｂをデジタルカメラ５０のメモリカードスロット５２に差し込む。コネクタ４５ｂは、内部のメディアソケット５３に接続される（図４参照）。なお、メモリカードスロット５２には、コネクタ４５ｂと二者択一的に、メモリカード５４が挿入される。
【００２９】
デジタルカメラ５０のカメラ本体５１の背面には、画像や各種設定画面が表示される液晶パネル５５が設けられ、また電子ビューファインダ（ＥＶＦ）５７が設けられている。また、カメラ本体５１の背面には、デジタルカメラ５０の各種機能を設定するために設けられた操作部５８が設けられている。
【００３０】
前記操作部５８は、液晶パネル５５にモード設定等を行うメニュー画面を表示するとともに実行キーの機能を兼用するメニュー／実行ボタン６１，操作を途中でやめる際に操作されるキャンセルボタン６２，メニュー画面ではカーソルキーとしてまた撮影時にはズームボタンとしてまた各種モードの設定キーとして機能する十字ボタン６３からなる。
【００３１】
また、カメラ本体５１の上部には、シャッタボタン６５の他、セルフポートレイトを撮影する際等に操作されるセルフタイマーボタン６６が設けられている。また、カメラ本体５１の側面には、前記メモリカードスロット５２の他に、ＵＳＢコネクタ６７が設けられている。
【００３２】
デジタルカメラ５０の電気的な構成を示す図４において、マイクロコンピュータ６９は、操作部５８から入力される操作信号、シャッタボタン６５又はセルフタイマー７０から入力されるレリーズ信号に基づいて、デジタルカメラ１０の各部を制御する。なお、セルフタイマー７０は、前記セルフタイマーボタン６６の操作によって起動され、例えば１０秒間経過後にレリーズ信号をマイクロコンピュータ６９に出力する。
【００３３】
撮影レンズ７１の背後にＣＣＤ７２が配置されており、撮影レンズ７１のピント合わせによりＣＣＤ７２の光電面には被写体画像が結像される。ＣＣＤ７２は光電変換により被写体像を電気信号に変換して撮像信号を相関二重サンプリング回路（ＣＤＳ）７３に出力する。
【００３４】
ＣＤＳ７３は、アナログ信号である撮像信号のノイズを除去し、さらにＡＭＰ７４が撮像信号を増幅する。その後、撮像信号は、Ａ／Ｄ変換器７５にてアナログ信号からデジタル信号に変換され、画像データとしてデジタル信号処理部（ＤＳＰ）７６に入力される。
【００３５】
マイクロコンピュータ６９は、ＤＳＰ７６を制御して、シャッタボタン６５又はセルフタイマー７０からのレリーズ信号を受信した瞬間の画像データを、証明写真モードでは内部メモリ７７に、また通常のカメラ撮影モードではメモリカード５４に記憶する。
【００３６】
内部メモリ７７には、画像データの他に、カメラ暗証番号が記憶される。このカメラ暗証番号は、デジタルカメラ５０が所定のＩＤカード発行機関によって承認された証明写真撮影用カメラであることを示すもので、ＵＳＢコネクタ６７に接続されたパーソナルコンピュータからＵＳＢコネクタ６７，ＵＳＢコントローラ７９及びＤＳＰ７６を介して内部メモリ７７に記憶される。
【００３７】
ＤＳＰ７６は、入力された画像データに圧縮，伸長，暗号化等の処理を施して、ＯＳＤ８０に送る。このＯＳＤ８０は、画像データに基づいて液晶パネル５５，ＥＶＦ５７のそれぞれについて画面の位置、輝度や明るさ、色度調整、コントラストなどの調節・設定を行い、カメラ撮影モード又はムービー撮影モードであれば、スルー画の画像データをＥＶＦドライバ８１に送り、また再生モードであれば、メモリカード５４又は内部メモリ７７から読み出された画像データをＬＣＤドライバ８２に送る。ＥＶＦドライバ８１はＥＶＦ５７を駆動し、ＬＣＤドライバ８２は液晶パネル５５を駆動する。
【００３８】
次に、上記構成により証明写真を更新する場合のシーケンスについて、図５に示すフローチャートを参照して説明を行う。なお、マルチカード１０及びデジタルカメラ５０の両方に予めカメラ暗証番号を入力して記憶させておく。また、マルチカード１０とデジタルカメラ５０とを予め接続ケーブル４５で接続しておく。
【００３９】
まず、テンキー２１を用いてパスワードを入力する（ｓｔ１）。このパスワードが正しい場合には、マルチカード１０の使用が許可される（ｓｔ２）。表示ボタン１７を押し、更新したい社員証の証明写真をマルチカード１０の大液晶パネル１４に表示すると（ｓｔ３）、これに関連するＩＤ情報が小液晶パネル１５に表示される。次に、メニューボタン１８を押し、大液晶パネル１４にメニュー選択画面を表示させる（ｓｔ４）。ここで、証明写真取り込みモードを選択する（ｓｔ５）。もし、証明写真取り込みモード以外のモードを選択すると、他の制御フローへ移行する（ｓｔ６）。
【００４０】
証明写真取り込みモードを選択すると、ＩＤカード暗証番号の入力をユーザに要求するメッセージ「ＩＤカード暗証番号を入力して下さい」が表示される（ｓｔ７）。ユーザはテンキー２１を操作して社員証のＩＤカード暗証番号を入力する。マイクロコンピュータ３０は、内蔵メモリ３２から予め記憶されているＩＤカード暗証番号を読み出して、入力されたＩＤカード暗証番号と照合する（ｓｔ８）。この照合がＮＧの場合には、不正使用と認識してメニュー選択画面が表示された状態に戻る。また、前記照合がＯＫの場合には、デジタルカメラ５０にカメラ暗証番号の要求信号を送信する（ｓｔ９）。
【００４１】
一方、デジタルカメラ５０の電源をオンにして（ｓｔ１０）、証明写真モードにセットしておく（ｓｔ１１）。これ以外を選択した場合には、通常のカメラモードに移行する（ｓｔ１２）。証明写真モードでは、マルチカード１０以外との画像データ通信を禁止し（ｓｔ１３）、マルチカード１０からのカメラ暗証番号の要求信号を待つ（ｓｔ１４）。また、撮影画像のサイズ，圧縮率，フォーマット等が証明写真モードに対応して設定される。
【００４２】
デジタルカメラ５０のマイクロコンピュータ６９は、マルチカード１０からカメラ暗証番号の要求信号を受信すると、カメラ暗証番号をマルチカード１０側へ送信し（ｓｔ１５）、照合待ち状態になる（ｓｔ１６）。
【００４３】
マルチカード１０のマイクロコンピュータ３０は、デジタルカメラ５０からカメラ暗証番号を受信すると（ｓｔ１７）、これと、内蔵メモリ３２に予め記憶されているカメラ暗証番号とを照合する（ｓｔ１８）。この照合結果がＮＧの場合には、接続したデジタルカメラ５０が証明写真撮影用カメラでないと認識して、メニュー選択画面表示に戻る。また、照合結果がＯＫの場合には、そのことをデジタルカメラ５０側に通知し、画像データ受信待ち状態に移行する（ｓｔ１９）。
【００４４】
デジタルカメラ５０は、照合ＯＫを受信した後、カメラ撮影モードに移行する（ｓｔ２０）。この後、ユーザは、セルフタイマーボタン６６を押すか、家族にシャッタボタン６５を押してもらい、セルフポートレイトを撮影する。この撮影が完了して得られた画像データを内部メモリ７７に一旦記憶した後（ｓｔ２１）、ＤＳＰ７６は、ランダムに暗号化キーコードを発生し（ｓｔ２２）、この暗号化キーコードに基づいて、前記画像データをＪＰＥＧの圧縮画像データに変換する（ｓｔ２３）。
【００４５】
そして、マイクロコンピュータ７０は、ＤＳＰ７６を駆動して、前記暗号化キーコード及び圧縮画像データをメディアソケット５３，接続ケーブル４５を介してマルチカード１０に送る（ｓｔ２４）。この後、デジタルカメラ５０は電源オン直後の初期状態に戻る。なお、カメラ撮影モードに移行後、ある一定時間が経過してもレリーズ信号がマイクロコンピュータ７０に入力されない場合は、デジタルカメラ５０は初期状態に戻る。
【００４６】
マルチカード１０は、前記暗号化キーコード及び圧縮画像データを受信すると（ｓｔ２５）、前記暗号化キーコードに基づいて圧縮画像データを伸長して（ｓｔ２６）、画像を大液晶パネル１４に表示する（ｓｔ２７）。そして、ユーザに確認を要求するメッセージを小液晶パネル１５に表示する（ｓｔ２８）。
【００４７】
ユーザがＮＧと判断したら、テンキー２１の「０」を押し（ｓｔ２９）、ＩＤカード暗証番号の入力（ｓｔ７）から繰り返す。また、ユーザがＯＫと判断したら、テンキー２１の「１」を押し（ｓｔ３０）、画像の登録を完了して（ｓｔ３１）、マルチカード１０はメニュー選択画面に戻る。なお、カメラ暗証番号の照合ＯＫ後（ｓｔ１８）、ある一定時間経過しても暗号化キーコード及び圧縮画像データの受信がなければ、マルチカード１０はメニュー選択画面に戻る。
【００４８】
前記画像の登録では、内蔵メモリ３２に記憶されていた社員証用の旧い画像データに新しく撮影した画像データが上書き保存される。なお、他のＩＤカード発行機関用の証明写真、例えば公安委員会用の証明写真の画像データが上書きされないのは勿論である。
【００４９】
また、前記証明写真を撮影してマルチカード１０に画像を登録した後、前記画像をＩＤカード発行機関に登録する場合には、マルチカード１０の外部入出力端子２５を使用してパーソナルコンピュータに接続し、インターネット経由で証明写真の画像をＩＤカード発行機関に送付する。その際には、ＩＤカード発行機関からＩＤカード暗証番号をマルチカード１０に送信し、内蔵メモリ３２からの画像データ読み出しを可能とし、ＩＤカード発行機関が画像データを読み取る。すなわち、ユーザがかってにマルチカード１０を画像データ読み出し可能状態とすることができないようにしている。
【００５０】
次に、ＩＤカード発行機関の承認を得る方法について説明する。ＩＤカード発行機関との通信は、パーソナルコンピュータ又はサーバー等で行う。本システムの構成を示す図６において、マルチカード１０とデジタルカメラ５０との接続は、前述と同様とする。更に、デジタルカメラ５０とパーソナルコンピュータ９０とはＵＳＢケーブル９１によりＵＳＢ接続される。パーソナルコンピュータ９０はＩＤカード発行機関のサーバー９３とインターネット９４経由で接続されている。
【００５１】
以下、図７に示すフローチャートを参照して説明する。なお、前述の図５に示すフローチャートと共通するシーケンスには同じステップ番号（ｓｔ１〜３１）を付して説明を省略する。カメラ暗証番号の照合（ｓｔ１８）がＯＫの場合には、マルチカード１０内にあるＩＤカード発行機関のＩＤ関連情報をデジタルカメラ５０及びパーソナルコンピュータ９０経由でＩＤカード発行機関のサーバー９３に送信する（ｓｔ５０〜５３）。送信のタイミングは、撮影完了して画像データの圧縮を行った後とする（ｓｔ２３）。その後、デジタルカメラ５０から暗号化キーコード及び圧縮画像データが送信され（ｓｔ５４）、ＩＤカード発行機関のサーバー９３で受信される（ｓｔ５５）。なお、前記ＩＤ関連情報としては、例えばマルチカードの型番，シリアルナンバー，ソフトウエアのバージョン，メモリ容量などがある。
【００５２】
ＩＤカード発行機関では、画像データを閲覧し、証明写真の変更に関して問題がないかどうか判定する（ｓｔ５６）。承認されれば、承認ＯＫの通知をデジタルカメラ５０に送信する（ｓｔ５７）。それを受けて、デジタルカメラ５０は暗号化キーコード及び圧縮画像データをマルチカード１０に送信する（ｓｔ２４）。なお、ＩＤカード発行機関では、承認した画像データを保存する。更に、承認した画像データによりＩＤ関連情報を更新して再度マルチカード１０に送信するようにしてもよい。
【００５３】
また、承認ＮＧの場合には、承認ＮＧの通知をデジタルカメラ５０に送信する（ｓｔ５８）。その際に、エラーメッセージを同時に送信して、パーソナルコンピュータ９０に表示させる。デジタルカメラ５０は、マルチカード１０に承認ＮＧを通知する（ｓｔ５９）。マルチカード１０，デジタルカメラ５０は、共に承認ＮＧを受信すると、それぞれの初期状態（マルチカード１０はメニュー選択画面表示，デジタルカメラ５０は電源オン直後）に戻る。
【００５４】
このように、本システムでは、ＩＤカード発行機関での承認を受けた証明写真のみ、マルチカード１０に保存される。更に、承認確認がＯＫとなった場合に課金が発生し、その通知をユーザ側のパーソナルコンピュータ９０に送信する（ｓｔ６０）。なお、承認確認がＯＫとなった場合に、ユーザ側のパーソナルコンピュータ９０に通知し、ユーザの課金許可（支払い許可）を受理した後、画像データ承認ＯＫ信号を発行するようにしてもよい。また、前記課金は、ユーザからの画像送信があった直後に行うようにしてもよい。
【００５５】
本システムによれば、ユーザはマルチカードの証明写真の更新を在宅したままで実施することができる。また、ＩＤカード発行機関では、撮影装置や印刷装置等を含むＩＤカード作成設備が不用になる。
【００５６】
以上説明した実施形態では、マルチカードに大小２つの液晶パネルを備えるようにしたが、本発明はこれに限定されることなく、１つの液晶パネルに証明写真とＩＤ情報の両方を同時に又は交互に表示するようにしてもよい。また、マルチカードに電源スイッチを省略したが、電源スイッチを設けるようにしてもよい。また、上記実施形態では、表示パネルとして液晶パネルを採用したが、本発明はこれに限定されることなく、例えば電子ペーパーでもよい。
【００５７】
また、電源はバッテリにより供給されるようにしたが、太陽電池パネル等で内部バッテリに充電するようにしてもよい。また、マルチカードを非接触型ＩＣカードとし、画像データやＩＤ情報の送信を可能とするようにしてもよい。これにより、改札機の読み取り部にタッチするだけで、改札を通過できる定期券代わりのＩＣカードとしても使うことができる。
【００５８】
また、上記実施形態では、パスワードを入力しないと、マルチカードが使えないようにしたが、パスワード入力を省略してもよい。また、上記実施形態は、社員証と運転免許証とを兼用するマルチカードであったが、本発明はこれに限定されることなく、任意の組み合わせを採用することができる。
【図面の簡単な説明】
【００５９】
【図１】マルチカードの外観を示す斜視図である。
【図２】マルチカードの電気的構成を示すブロック図である。
【図３】マルチカードとデジタルカメラを接続する様子を示す斜視図である。
【図４】デジタルカメラの電気的構成を示すブロック図である。
【図５】マルチカードの証明写真をデジタルカメラで撮り直すシーケンスを示すフローチャートである。
【図６】マルチカードをデジタルカメラ，パーソナルコンピュータ及びインターネットを経由してＩＤカード発行機関のサーバーに接続した状態を示す説明図である。
【図７】ＩＤカード発行機関の承認を得る際のシーケンスを示すフローチャートである。
【符号の説明】
【００６０】
１０  マルチカード
１４  大液晶パネル
１５  小液晶パネル
３０，６９  マイクロコンピュータ
３２  内蔵メモリ
５０  デジタルカメラ
９０  パーソナルコンピュータ
９３  サーバー
【図１】
2005284677.tif 000003
【図２】
2005284677.tif 000004
【図３】
2005284677.tif 000005
【図４】
2005284677.tif 000006
【図５】
2005284677.tif 000007
【図６】
2005284677.tif 000008
【図７】
2005284677.tif 000009